(57)【特許請求の範囲】
【請求項１】
(A)炭素数４〜８の脂肪族エーテルの水素原子の一部で、かつ過半数が弗素に置換した沸点が３０℃〜１８０℃の弗素含有エーテルに、
(B)一般式(I)で表されるポリオキシエチレンアルキルフェニルエーテル基を含有する界面活性剤
【化１】
0004334027.tif 000005
（式中、Ｒ1は炭素数５−１０のアルキル基、nは１−２０の整数である。）
を混合してなる付着水除去用溶剤組成物。
【請求項２】
弗素含有エーテルが、テトラフルオロエチルヘプタフルオロプロピルエーテル、トリフルオロエチルテトラフルオロエチルエーテル、メチルヘキサフルオロプロピルエーテル、メチルノナフルオロブチルエーテル、エチルノナフルオロブチルエーテル及びC3F7OCF3(CF)CF2OCHFCF3からなる群より選ばれる1種またはそれ以上の弗素含有エーテルであることを特徴とする請求項１記載の付着水除去用溶剤組成物。
【請求項３】
一般式(I)で表されるポリオキシエチレンアルキルフェニルエーテル基を含有する界面活性剤がポリオキシエチレンオクチルフェニルエーテルである請求項１または２に記載の付着水除去用溶剤組成物。
【発明の詳細な説明】
【０００１】
【発明の属する技術分野】
本発明は、弗素含有エーテルを用いた付着水除去用溶剤組成物であり、精密機械、光学機械や電子機器等の金属製、プラスチック製、ガラス製の部品等に付着した水を除去するのに適した組成物に関するものである。
【０００２】
【従来の技術】
精密金属部品、光学部品、電子部品の多くが加工途中で水を使用しており、この工程の後処理として必要な付着残留水の除去及び乾燥には、被洗浄物を腐食せずに水を洗い落とすことができ、しかもその洗浄液自体の除去が容易にできるような適当な沸点を持つ洗浄剤が用いられる。そのような、洗浄剤として、これまでクロロフルオロカーボン系洗浄剤（例えば、ＣＦＣ−１１３、沸点４８℃）に界面活性剤を混合した組成物が使用されてきた。しかし、クロロフルオロカーボンについてはオゾン層保護の観点からウィーン条約やモントリオール議定書に基づき国際的な規制が実施され、わが国でもエッセンシャルユースを除き１９９５年末に全廃された。
【０００３】
【発明が解決しようとする課題】
そのため、ＣＦＣ−１１３等のクロロフルオロカーボン系付着水除去用溶剤組成物が有する低毒性、不燃性、低腐食性の特性を失うこと無く、水置換性能が優れ、且つオゾン層を破壊する恐れがない付着水除去用溶剤組成物の開発が望まれている。
【０００４】
発明者らは、このような溶剤を探索した結果、塩素を含まない弗素含有エーテルに特定の界面活性剤を混合してなる溶剤組成物がオゾン層を破壊する恐れがなく、ＣＦＣ−１１３に代替し得る付着水除去用溶剤としての物性を有することを見いだし、本発明に到達した。
【０００５】
【発明を解決するための手段】
すなわち本発明は、下記(A)および(B)を混合してなる付着水除去用溶剤組成物である。
(A)炭素数４〜８の脂肪族エーテルの水素原子の一部で、かつ過半数が弗素に置換した沸点が３０℃〜１８０℃の弗素含有エーテル
(B)一般式(I)で表されるポリオキシエチレンアルキルフェニルエーテル基を含有する界面活性剤
【化２】
0004334027.tif 000002
（式中、Ｒ1は炭素数５−１０のアルキル基、nは１−２０の整数である。）
【０００６】
【発明の実施の形態】
本発明の溶剤組成物の主成分である弗素含有エーテル(A)は、炭素数４〜８の脂肪族エーテルの水素原子の一部が弗素に置換したものであり、また付着水除去能力及び引火性の点から、水素原子の過半数が弗素に置換したもので、また、その後の洗浄液の除去操作の点から沸点が３０℃〜１８０℃のもの沸点が３０℃〜１８０℃の弗素含有エーテルである。またオゾン層を破壊しないために、塩素原子を含有しないものであることが必要である。
このような弗素含有エーテルとして、テトラフルオロエチルヘプタフルオロプロピルエーテル、トリフルオロエチルテトラフルオロエチルエーテル、メチルヘキサフルオロプロピルエーテル、メチルノナフルオロブチルエーテル、エチルノナフルオロブチルエーテル等を挙げることができる。また、弗素含有エーテルは、エーテル結合を２つ以上有するもの、例えば、
C3F7OCF3(CF)CF2OCHFCF3
のようなポリエーテルも使用することができる。
な使用方法で付着水除去を効率よく行うことができる。
【０００７】
これらのふっ素含有エーテルは、１種でも良いし、又２種以上の混合物でも構わない。
【０００８】
本発明の付着水除去用溶剤組成物は上記弗素含有エーテルに界面活性剤を配合して用いる。本発明の弗素含有エーテルに配合する界面活性剤は、一般式(I)で表されるポリオキシエチレンアルキルフェニルエーテル基を含有する界面活性剤であり、具体的には、ポリオキシエチレンオクチルフェニルエーテル等が例示される。
【化３】
0004334027.tif 000003
（式中、Ｒ1は炭素数５−１０のアルキル基、nは１−２０の整数である。）
【０００９】
その他、これまでクロロフルオロカーボン系付着水除去用溶剤に用いられてきた陰イオン系界面活性剤であるカルボン酸塩、スルホン酸塩、硫酸エステル塩、リン酸エステル塩など、陽イオン系界面活性剤であるアルキル第４アンモニウム塩、ノニオン系界面活性剤等も混合して使用することもできる。
【００１０】
界面活性剤の配合量は、弗素含有エーテルに対し、０．０１−１０重量％、特に０．０５−５重量％が好ましい。界面活性剤の配合量が少ないと付着水除去効果が低下し、また多過ぎると界面活性剤のすすぎが不充分となる。
【００１１】
本発明の付着水除去用溶剤組成物は、ハイドロフルオロカーボンのような、その他の付着水除去用溶剤、例えばデカフルオロペンタン等との混合物として使用することができる。
【００１２】
また付着水除去用溶剤組成物中に安定剤としてニトロアルカン類、エポキシド類、フラン類、ベンゾトリアゾール類、フェノール類、アミン類等を添加することもできる。
【００１３】
更に、付着水除去能力の向上、界面活性剤の溶解力向上の為、炭化水素、アルコール類、ケトン類、エーテル類、エステル類等の有機液体を混合することもできる。
【００１４】
更に、使用時の管理の容易さから、弗素含有エーテルと混合される有機液体の間に共沸組成が存在すれば、その共沸組成での使用が好ましい。
【００１５】
本発明の溶剤組成物を用いて、物品に付着した水を除去するには、沸騰状態にある本発明の付着水除去用溶剤組成物に浸漬する方法が最も一般的であるが、その他、超音波、スプレー、揺動等の他の方法を用いることもできる。なお、水を除去した後の被洗浄物に付着している界面活性剤は弗素含有エーテルによってすすぎ落とすことができる。
【００１６】
以下、実施例により本発明を詳細に説明する。
［実施例１］
２５ｍｌ（ミリリッター）メスシリンダーに純水３ｍｌを入れ、８ｍｌの標線まで直径０．４ｍｍのガラスビーズを入れた。その後、表１に示されるポリオキシエチレンオクチルフェニルエーテルを０．１重量％含有する、１，２，２，２−テトラフルオロエチルヘプタフルオロプロピルエーテルと１，１，１，２，３，４，４，５，５，５−デカフルオロペンタン（HFC-43-10mee）の混合液（重量比５０：５０）を用いて、ガラスビーズ入りメスシリンダーの２５ｍｌの標線まで注入し、注入直後から５分後迄に浮遊した水の量を測定し下記の式により付着水除去率を求めた。結果を表１に示す。
付着水除去率（％）＝（５分後迄に浮遊した水の量）／純水の量（３ｍｌ）×100
【００１７】
［比較例１〜２］
弗素含有エーテルとして、１，２，２，２−テトラフルオロエチルヘプタフルオロプロピルエーテルを用い、界面活性剤を配合せず、実施例１と同様にして付着水除去率を求めた。結果を表１に示す。
表１から明らかなように、弗素含有エーテルが界面活性剤を含まない場合（比較例１〜２）には、弗素含有エーテルの付着水除去率は０％であり、被洗浄物の付着水除去が不可能である。
【００１８】
【表１】
0004334027.tif 000004
Ｆ−１：1,2,2,2-テトラフルオロエチルヘプタフルオロプロピルエーテル
Ｆ−２：1-トリフルオロメチル-2-(1,2,2,2-テトラフルオロエトキシ)-トリフルオロエチルヘプタフルオロプロピルエーテル
Ｂ−１：ポリオキシエチレンオクチルフェニルエーテル
HFC-43-10mee：1,1,1,2,3,4,4,5,5,5,-デカフルオロペンタン
【００１９】
【発明の効果】
本発明の付着水除去用溶剤組成物は、被洗浄物からの水分の除去置換能が優れており、オゾン層に悪影響を与えること無く従来使用されてきたトリクロロトリフルオロエタン（ＣＦＣ−１１３）と同様な使用方法で付着水除去を効率よく行うことができる。